(57)【要約】【課題】個々人がウォーキングすることで自己の健康増進のみならず社会貢献も行うことができ、かかる社会貢献を通じて企業等もＣＳＲ活動を果たすことができる新しい枠組みを提供する。【解決手段】ウォーキングマイレージ（ＷＭ）参加者用の歩数計１と、歩数データ送信装置２と、ＷＭ管理システム３（主催者装置４、事務局装置５）とを備える。（１）ＷＭ参加者は、歩数計１を携帯してウォーキングを行った後、歩数計１を歩数データ送信装置２に接続する。（２）歩数データ送信装置２は、歩数計１から歩数データを読み出し、事務局装置５に送信する。（３）事務局装置５は、歩数データを管理するとともに、歩数データをＷＭに変換する。（４）事務局装置５は、ＷＭ情報を主催者装置４に送信する。（５）主催者装置４は、所定のタイミングでＷＭを金銭ポイントに換算する。（６）ＷＭ主催者は、主催者装置４に記憶される金銭ポイントに基づいて寄付を実行する。【選択図】図１
2009037571.tif 000002
【特許請求の範囲】
【請求項１】
ウォーキングマイレージ（以下、「ＷＭ」という）参加者用の歩数計と、歩数データ送信装置と、ＷＭ管理システムとを備えたウォーキングサポートシステムであって、
前記歩数データ送信装置は、
前記歩数計から歩数データを取得する手段と、
ＩＤ情報記憶媒体からＷＭ参加者のＩＤ情報を取得する手段と、
前記取得した歩数データに前記取得したＷＭ参加者ＩＤ情報を対応づけて、通信ネットワークを介して前記ＷＭ管理システムに送信する手段と、を備え、
前記ＷＭ管理システムは、
歩数データをＷＭに変換するための第１変換テーブルと、
ＷＭを金銭ポイントに換算するための第２変換テーブルと、
ＷＭ参加者ＩＤ情報に対応づけて、該ＷＭ参加者のＷＭを記憶するＷＭ参加者マイレージ記憶手段と、
寄付受領者ＩＤ情報に対応づけて、該寄付受領者に割り当てられたＷＭを記憶する寄付受領者マイレージ記憶手段と、
前記歩数データ送信手段から、歩数データと、該歩数データに対応するＷＭ参加者のＩＤ情報とを受信する歩数データ受信手段と、
前記第１変換テーブルを参照し、前記受信した歩数データをＷＭに変換するＷＭ変換手段と、
前記ＷＭ参加者マイレージ記憶手段に記憶する前記受信したＷＭ参加者ＩＤ情報に対応するＷＭに、前記変換したＷＭを加算し、前記ＷＭ参加者マイレージ記憶手段の記憶内容を更新するＷＭ参加者マイレージ加算手段と、
ＷＭ参加者の中から寄付実行者を選択する寄付実行者選択手段と、
前記選択した寄付実行者に対応する寄付受領者を選択する寄付先選択手段と、
前記寄付受領者マイレージ記憶手段に記憶する前記選択した寄付受領者のＩＤ情報に対応するＷＭに、前記ＷＭ参加者マイレージ記憶手段に記憶する前記選択した寄付実行者のＩＤ情報に対応するＷＭの一部又は全部を加算し、前記寄付受領者マイレージ記憶手段の記憶内容を更新する寄付受領者マイレージ加算手段と、
前記第２変換テーブルを参照し、前記寄付受領者マイレージ記憶手段に記憶する寄付受領者のＩＤ情報に対応するＷＭを、金銭ポイントに換算する金銭ポイント換算手段と、
を備えることを特徴とするウォーキングサポートシステム。
【請求項２】
前記ＷＭ管理システムは、
ユーザ端末からＷＭ参加者を指定したＷＭ照会リクエストを受け付けた場合、前記ＷＭ参加者マイレージ記憶手段から、前記ＷＭ照会リクエストで指定されたＷＭ参加者のＷＭを読み出し、前記読み出したＷＭを含む照会結果を前記ユーザ端末に送信するＷＭ照会手段を備えることを特徴とする請求項１記載のウォーキングサポートシステム。
【請求項３】
前記ＷＭ管理システムは、
ＷＭ参加者が指定した寄付受領者の情報を記憶する寄付先記憶手段と、
ユーザ端末からＷＭ参加者及び寄付受領者を指定した寄付先選択リクエストを受け付けた場合、前記寄付先選択リクエストで指定された寄付受領者を、前記寄付先選択リクエストで指定されたＷＭ参加者が指定した寄付受領者として、前記寄付先記憶手段に登録する寄付先登録手段とを備え、
前記寄付先選択手段は、前記寄付先記憶手段を参照して、前記選択した寄付実行者に対応する寄付受領者を選択することを特徴とする請求項１又は２記載のウォーキングサポートシステム。
【請求項４】
前記第１変換テーブルは、歩数データが第一の閾値Ａ未満である場合、０マイルのＷＭに変換するように設定されていることを特徴とする請求項１乃至３のいずれか１項に記載のウォーキングサポートシステム。
【請求項５】
前記第１変換テーブルは、歩数データが第二の閾値Ｂ未満である場合、歩数データが多いほど変換後のＷＭが多くなるように設定され、歩数データが第二の閾値Ｂ以上となる場合、歩数データに依らずに変換後のＷＭが一定値となるように設定されていることを特徴とする請求項１乃至３のいずれか１項に記載のウォーキングサポートシステム。
【請求項６】
前記ＷＭ管理システムは、ＷＭ主催者のための主催者装置と、ＷＭ主催者をサポートするＷＭ事務局のための事務局装置とを含み、
前記事務局装置は、前記第１変換テーブルと、前記ＷＭ参加者マイレージ記憶手段と、前記歩数データ受信手段と、前記ＷＭ変換手段と、前記ＷＭ参加者マイレージ加算手段と、前記ＷＭ参加者マイレージ記憶手段に記憶するＷＭの情報を前記主催者装置に送信する手段とを備え、
前記主催者装置は、前記第２変換テーブルと、前記寄付受領者マイレージ記憶手段と、前記事務局装置からＷＭの情報を受信する手段と、前記寄付実行者選択手段と、前記寄付先選択手段と、前記寄付受領者マイレージ加算手段と、前記金銭ポイント換算手段とを備えることを特徴とする請求項１乃至５のいずれか１項に記載のウォーキングサポートシステム。
【発明の詳細な説明】
【技術分野】
【０００１】
本発明は、健康増進及び社会貢献を目的としてウォーキングを行うことをサポートするシステムに関する。
【背景技術】
【０００２】
近年、急速な人口高齢化の進展に疾病構造も変化し、疾病全体に占める生活習慣病の割合が増加しており、医療・介護保険財政に深刻な影響を与えている。
【０００３】
一方、企業経営を取り巻く環境も大きく変革し、企業の社会的責任（ＣＳＲ）や社会貢献等の新たな企業行動の指針が求められている。
【発明の開示】
【発明が解決しようとする課題】
【０００４】
従来より、ウォーキングは生活習慣病の予防に有効な運動として知られている。
【０００５】
ウォーキングは、場所を選ばずに一人でも実行でき、また歩数計により歩数をカウントすることで手軽に運動量を定量化できるなど、多数の有利な特長を持つ。
【０００６】
しかし、ともすれば単調な運動と捉えられがちであり、多くの人に運動習慣として受け入れらるまでは至っていない。
【０００７】
本発明の発明者らは、ウォーキングが運動習慣として受け入れられるための枠組みについて検討し、個々人がウォーキングすることで自己の健康増進のみならず社会貢献も行うことができたならば、ウォーキングを継続することへの強いモチベーションになると考えるに至った。また、そのようなウォーキングに基づく社会貢献を企業等が支援することにより、企業等としてＣＳＲ活動を果たすことも可能となる。
【０００８】
そこで、本発明は、個々人がウォーキングすることで自己の健康増進のみならず社会貢献も行うことができ、かかる社会貢献を通じて企業等もＣＳＲ活動を果たすことができる新しい枠組みを提供することを目的とする。
【課題を解決するための手段】
【０００９】
本発明のウォーキングサポートシステムは、ウォーキングマイレージ（ＷＭ）参加者用の歩数計と、歩数データ送信装置と、ＷＭ管理システムとを備えたウォーキングサポートシステムであって、前記歩数データ送信装置は、前記歩数計から歩数データを取得する手段と、ＩＤ情報記憶媒体からＷＭ参加者のＩＤ情報を取得する手段と、前記取得した歩数データに前記取得したＷＭ参加者ＩＤ情報を対応づけて、通信ネットワークを介して前記ＷＭ管理システムに送信する手段と、を備え、前記ＷＭ管理システムは、歩数データをＷＭに変換するための第１変換テーブルと、ＷＭを金銭ポイントに換算するための第２変換テーブルと、ＷＭ参加者ＩＤ情報に対応づけて、該ＷＭ参加者のＷＭを記憶するＷＭ参加者マイレージ記憶手段と、寄付受領者ＩＤ情報に対応づけて、該寄付受領者に割り当てられたＷＭを記憶する寄付受領者マイレージ記憶手段と、前記歩数データ送信手段から、歩数データと、該歩数データに対応するＷＭ参加者のＩＤ情報とを受信する歩数データ受信手段と、前記第１変換テーブルを参照し、前記受信した歩数データをＷＭに変換するＷＭ変換手段と、前記ＷＭ参加者マイレージ記憶手段に記憶する前記受信したＷＭ参加者ＩＤ情報に対応するＷＭに、前記変換したＷＭを加算し、前記ＷＭ参加者マイレージ記憶手段の記憶内容を更新するＷＭ参加者マイレージ加算手段と、ＷＭ参加者の中から寄付実行者を選択する寄付実行者選択手段と、前記選択した寄付実行者に対応する寄付受領者を選択する寄付先選択手段と、前記寄付受領者マイレージ記憶手段に記憶する前記選択した寄付受領者のＩＤ情報に対応するＷＭに、前記ＷＭ参加者マイレージ記憶手段に記憶する前記選択した寄付実行者のＩＤ情報に対応するＷＭの一部又は全部を加算し、前記寄付受領者マイレージ記憶手段の記憶内容を更新する寄付受領者マイレージ加算手段と、前記第２変換テーブルを参照し、前記寄付受領者マイレージ記憶手段に記憶する寄付受領者のＩＤ情報に対応するＷＭを、金銭ポイントに換算する金銭ポイント換算手段と、を備えることを特徴とする。
【００１０】
好適には、前記ＷＭ管理システムは、ユーザ端末からＷＭ参加者を指定したＷＭ照会リクエストを受け付けた場合、前記ＷＭ参加者マイレージ記憶手段から、前記ＷＭ照会リクエストで指定されたＷＭ参加者のＷＭを読み出し、前記読み出したＷＭを含む照会結果を前記ユーザ端末に送信するＷＭ照会手段を備えることを特徴とする。
【００１１】
また好適には、前記ＷＭ管理システムは、ＷＭ参加者が指定した寄付受領者の情報を記憶する寄付先記憶手段と、ユーザ端末からＷＭ参加者及び寄付受領者を指定した寄付先選択リクエストを受け付けた場合、前記寄付先選択リクエストで指定された寄付受領者を、前記寄付先選択リクエストで指定されたＷＭ参加者が指定した寄付受領者として、前記寄付先記憶手段に登録する寄付先登録手段とを備え、前記寄付先選択手段は、前記寄付先記憶手段を参照して、前記選択した寄付実行者に対応する寄付受領者を選択することを特徴とする。
【００１２】
また好適には、前記第１変換テーブルは、歩数データが第一の閾値Ａ未満である場合、０マイルのＷＭに変換するように設定されていることを特徴とする。
【００１３】
また好適には、前記第１変換テーブルは、歩数データが第二の閾値Ｂ未満である場合、歩数データが多いほど変換後のＷＭが多くなるように設定され、歩数データが第二の閾値Ｂ以上となる場合、歩数データに依らずに変換後のＷＭが一定値となるように設定されていることを特徴とする。
【００１４】
また好適には、前記ＷＭ管理システムは、ＷＭ主催者のための主催者装置と、ＷＭ主催者をサポートするＷＭ事務局のための事務局装置とを含み、前記事務局装置は、前記第１変換テーブルと、前記ＷＭ参加者マイレージ記憶手段と、前記歩数データ受信手段と、前記ＷＭ変換手段と、前記ＷＭ参加者マイレージ加算手段と、前記ＷＭ参加者マイレージ記憶手段に記憶するＷＭの情報を前記主催者装置に送信する手段とを備え、前記主催者装置は、前記第２変換テーブルと、前記寄付受領者マイレージ記憶手段と、前記事務局装置からＷＭの情報を受信する手段と、前記寄付実行者選択手段と、前記寄付先選択手段と、前記寄付受領者マイレージ加算手段と、前記金銭ポイント換算手段とを備えることを特徴とする。
【００１５】
ＷＭ管理システムを実現するための情報処理プログラムは、ＣＤ−ＲＯＭ、磁気ディスク、半導体メモリなどの各種の記録媒体を通じて、又は通信ネットワークを介してダウンロードすることにより、ＷＭ管理システムにインストールまたはロードすることができる。
【００１６】
なお、本明細書において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されても良い。
【発明の効果】
【００１７】
本発明によれば、本発明の枠組みの参加者はウォーキングすることで自己の健康増進のみならず社会貢献も行うことができる。その結果、参加者に、健康増進及び社会貢献という２つの側面からウォーキングを行うことへのモチベーションを与えることができるので、ウォーキングを運動習慣として定着させることが可能となる。また、参加者による社会貢献を通じて企業等もＣＳＲ活動を果たすことができる。
【発明を実施するための最良の形態】
【００１８】
以下に本発明の実施の形態について図面を用いて説明する。
【００１９】
図１は、本発明の実施形態である、ウォーキングマイレージ（ＷＭ）を利用したウォーキングサポートシステム１００の概略構成を示す図である。ＷＭとは、本発明の発明者らが発案した新しい概念であり、ウォーキングの量（歩数）に応じて付与されるマイレージである。なお、本明細書では必要に応じて「ＷＭ」を本発明の枠組みを指す言葉としても用いる。
【００２０】
図に示すように、ウォーキングサポートシステム１００は、歩数計１と、歩数データ送信装置２と、ＷＭ管理システム３と、ユーザ端末６とを備えている。このうちＷＭ管理システム３は、ＷＭ主催者（例えば、企業や健康保険組合など）のための主催者装置４と、ＷＭ主催者をサポートするＷＭ事務局のための事務局装置５とを含んで構成される。
【００２１】
歩数計１と歩数データ送信装置２は、ＵＳＢなどのデバイス接続インタフェースを介して通信可能に構成されている。また、歩数データ送信装置２、事務局装置５、主催者装置４及びユーザ端末６間は、通信ネットワークＮ（ＬＡＮ、インターネット、専用線、パケット通信網、それらの組み合わせ等のいずれであってもよく、有線、無線の両方を含む）を介して通信可能に構成されている。
【００２２】
なお、図１では、歩数計１、歩数データ送信装置２、主催者装置４、事務局装置５、ユーザ端末６を１台ずつ記載しているが、設計に応じて図１に示すのと異なる台数を備えるようにウォーキングサポートシステム１を構成してもよい。一般的には、ＷＭ参加者ごとに歩数計１を用意し、ＷＭ主催者ごとに主催者装置４を配置することが考えられる。
【００２３】
（歩数計１）
歩数計１は、通常の歩数計としての機能（歩数カウント機能、歩行距離算出機能など）に加え、ＵＳＢなどのデバイス接続インタフェースを介して外部に歩数データ等を出力する機能を備える。このような機能を備えた歩数計は各メーカから市販されており、歩数計１としてそのような市販品を利用することができるため、ここでは詳細に説明しない。
【００２４】
（歩数データ送信装置２）
図２（ａ）は、歩数データ送信装置２のハードウェア構成を示すブロック図である。図２（ａ）に示すように、歩数データ送信装置２は、ＣＰＵ、ＲＯＭ、ＲＡＭ、送信ボタン等を含むユーザインタフェース、歩数計１と接続するためのＵＳＢなどの第１デバイス接続インタフェース、事務局装置５と通信するための通信インタフェース、ＩＣカードリーダなどを備える。ＩＣカードリーダは、図１に示すように歩数データ送信装置２と別体であってもよく、その場合、歩数データ送信装置２は、ＩＣカードリーダと接続するためのＵＳＢなどの第２デバイス接続インタフェースを備える。
【００２５】
図２（ｂ）は、歩数データ送信装置２の機能構成を示すブロック図である。図２（ｂ）に示すように、歩数データ送信装置２は、歩数データ取得手段２１、ＩＤ情報取得手段２２、歩数データ送信手段２３などの機能手段を含んでいる。これらの各機能手段は、歩数データ送信装置２のＣＰＵが、ＲＯＭなどに記憶された情報処理プログラムを実行することにより、又はワイヤードロジックにより、又はそれらを組み合わせて実現される。
【００２６】
ここで、歩数データ送信装置２は、通常のパーソナルコンピュータ等を用いて構成することもできるが、例えば送信ボタンを押下するだけで、接続された歩数計１から歩数データを取得し、事務局装置５に送信するように構成することができる専用装置として構成することが望ましい。歩数データの送信に関わる操作を単純化することで、コンピュータ等の取り扱いに慣れていない人でも容易にＷＭに参加できるようになるからである。
【００２７】
また、歩数データ送信装置２の通信インタフェースは、携帯電話網（ＰＨＳ網を含む）に接続するためのインタフェース（アンテナ等を含む；データ通信カード用スロットであってもよい）であることが望ましい。企業等の内部のＬＡＮを介さずに事務局装置５と通信できるため、ＬＡＮに関するセキュリティ上の調整が不要となるからである。
【００２８】
なお、歩数データ送信装置２は、例えばＷＭ主催者の建屋内、コンビニエンスストアや郵便局などの生活拠点に配置される。
【００２９】
（ＷＭ管理システム３）
図３（ａ）は、ＷＭ管理システム３を構成する主催者装置４及び事務局装置５、並びにユーザ端末６のハードウェア構成を示すブロック図である。図３（ａ）に示すように、主催者装置４、事務局装置５、ユーザ端末６はそれぞれ、ＣＰＵ、ＲＯＭ、ＲＡＭ、外部記憶装置、キーボードや液晶ディスプレイ等のユーザインタフェース、通信インタフェース等のハードウェアを備えており、例えば、汎用の情報処理装置を用いて構成することができる。なお、主催者装置４及び事務局装置５はそれぞれ、単一の情報処理装置により構成されるものであっても、ネットワーク上に分散した複数の情報処理装置により構成されるものであってもよい。また、図１では主催者装置４と事務局装置５とを別ブロックにより記載しているが、これらが物理的に一体の装置として構成されていてもよい。
【００３０】
図３（ｂ）は、主催者装置４の機能構成を示すブロック図である。図３（ｂ）に示すように、主催者装置４は、第２変換テーブル４１、ＷＭ参加者マイレージ記憶手段４２、寄付受領者マイレージ記憶手段４３、ＷＭ情報受信手段４４、寄付実行者選択手段４５、寄付先選択手段４６、寄付受領者マイレージ加算手段４７、金銭ポイント換算手段４８などの機能手段を含んでいる。これらの各機能手段は、主催者装置４のＣＰＵが、ＲＯＭ、ＲＡＭ、外部記憶装置などに記憶された情報処理プログラムを実行することにより、実現される。
【００３１】
図３（ｃ）は、事務局装置５の機能構成を示すブロック図である。図３（ｃ）に示すように、事務局装置５は、第１変換テーブル５１、ＷＭ参加者マイレージ記憶手段５２、歩数データ受信手段５３、ＷＭ変換手段５４、ＷＭ参加者マイレージ加算手段５５、ＷＭ情報送信手段５６、リクエスト処理手段５７などの機能手段を含んでいる。これらの各機能手段は、事務局装置５のＣＰＵが、ＲＯＭ、ＲＡＭ、外部記憶装置などに記憶された情報処理プログラムを実行することにより、実現される。
【００３２】
図４〜図６を参照して、第１変換テーブル５１、第２変換テーブル４１、ＷＭ参加者マイレージ記憶手段５２（ＷＭ参加者マイレージ記憶手段４２）、寄付受領者マイレージ記憶手段４３について説明する。
【００３３】
第１変換テーブル５１は、歩数データをＷＭに変換するためのテーブルである。第１変換テーブル５１は、単位期間（例えば１日）あたりの歩数を０〜４９９９歩、５０００〜５９９９歩のように区分した各区分に対応づけて、該区分に対応するＷＭ（該区分の歩数に対して付与されるＷＭ）を記憶するように構成されている。
【００３４】
図４（ａ）に第１変換テーブル５１の例を示す。この例では、１日あたりの歩数が５０００歩に達したところで初めて５マイルのＷＭが付与されるように設定されている。換言すれば、歩数データが第一の閾値５０００歩未満である場合、０マイルのＷＭに変換されるように設定されている。１日あたり一定歩数（５０００歩）以上歩かないと、健康増進効果が十分に得られないため、それ以上のウォーキングを奨励する必要性が高いからである。
【００３５】
また、１日あたりの歩数が５０００歩〜１５０００歩の間は１０００歩ごとに１マイルのＷＭが追加され、１５０００歩〜２５０００歩の間は２０００歩ごとに１マイルのＷＭが追加され、２５０００歩以上となる場合は、ＷＭを追加しないように設定されている。換言すれば、歩数データが第二の閾値２５０００歩未満である場合、歩数データが多いほど変換後のＷＭが多くなるように設定され、歩数データが第二の閾値２５０００歩以上となる場合、歩数データに依らずに変換後のＷＭが一定値２０マイルとなるように設定されている。１日あたり一定歩数（２５０００歩）以上歩くと、膝や腰に負担をかける恐れがあるため、それ以上のウォーキングを奨励する必要性が低いからである。
【００３６】
第１変換テーブル５１は、更に、ボーナス加算テーブルを含んでていもよい。ボーナス加算テーブルとは、歩数がある条件を満たす場合にボーナスとして加算されるＷＭを規定したテーブルである。図４（ｂ）にボーナス加算テーブルの例を示す。この例では、１週間の歩数の合計が一定値（７００００歩）を超えた場合に一定のＷＭ（３マイル）を加算するボーナスと、１週間のうち１日あたりの歩数が一定値（１００００歩）を超えた日が一定数（３日）以上ある場合に、超えた日数分、１日ごとに一定のＷＭ（１マイル）を加算するボーナスとが設定されている。
【００３７】
第２変換テーブル４１は、ＷＭを金銭ポイントに換算するためのテーブルである。金銭ポイントは、例えば金銭そのものの他、ＷＭ以外のマイレージサービスのマイルやポイントサービスのポイントなどとすることができる。
【００３８】
図５（ａ）、（ｂ）に第２変換テーブル４１の例を示す。図５（ａ）に示す例では、一定の換算率を記憶するように構成されている。一方、図５（ｂ）に示す例では、ＷＭを０〜９９マイル、１００〜１９９マイルのように区分した各区分に対応づけて、該区分のＷＭを金銭ポイントに換算する場合の換算率を記憶するように構成されており、マイル数が多い区分ほど換算率が良くなるように設定されている。
【００３９】
なお、第２変換テーブル４１は、ＷＭ主催者ごとに異なっていてもよい。また、第２変換テーブル４１は、後述するように、金銭ポイントに換算する段階で必要となるものであるため、ＷＭの枠組みを開始した時点で予め第２変換テーブル４１の内容（金銭ポイントの換算率）を決定しておく必要はない。
【００４０】
ＷＭ参加者マイレージ記憶手段５２は、ＷＭ参加者のＩＤ情報に対応づけて、該ＷＭ参加者の歩数データ（各単位期間の歩数、合計歩数）、ＷＭデータ（各単位期間のＷＭ、合計ＷＭ）、該ＷＭ参加者が指定した寄付受領者のＩＤ情報などを記憶している。図６（ａ）にＷＭ参加者マイレージ記憶手段５２のデータ構造例を示す。この例では、ＷＭ参加者のＩＤ情報は、ＷＭ主催者のＩＤ情報を含んで構成されている。なお、ＷＭ参加者マイレージ記憶手段５２に、歩数データやＷＭなどに加えて、ＷＭ参加者の健康診断データやアンケート結果などを記憶してもよい。
【００４１】
ＷＭ参加者マイレージ記憶手段４２は、原則としてＷＭ参加者マイレージ記憶手段５２と同様のデータ構造を採る。ただし、ＷＭ参加者マイレージ記憶手段４２が、対応するＷＭ主催者に属する各ＷＭ参加者についての情報のみを記憶しているのに対し、ＷＭ参加者マイレージ記憶手段５２は、全ＷＭ参加者についての情報を記憶している点で異なっている。
【００４２】
寄付受領者マイレージ記憶手段４３は、寄付受領者のＩＤ情報に対応づけて、該寄付受領者に割り当てられたＷＭなどを記憶している。図６（ｂ）に寄付受領者マイレージ記憶手段４３のデータ構造例を示す。
【００４３】
（ウォーキングサポートシステム１００によって実現される枠組み）
図１を参照して、ウォーキングサポートシステム１００により実現される枠組みの概要を説明する。（１）ＷＭ参加者は、歩数計１を携帯してウォーキングを行った後、歩数計１を歩数データ送信装置２に接続する。（２）歩数データ送信装置２は、歩数計１から歩数データを読み出し、事務局装置５に送信する。（３）事務局装置５では、歩数データを管理するとともに、歩数データをＷＭに変換する。（４）事務局装置５は、ＷＭの情報を主催者装置４に送信する。（５）主催者装置４では、所定のタイミングで（例えば１年経過後に）ＷＭを金銭ポイントに換算する。（６）ＷＭ主催者は、主催者装置４に記憶される金銭ポイントに基づいて寄付を実行する。
【００４４】
次に、図７、図８のフローチャートを適宜参照し、単位期間が1日であるとして、本枠組みを詳細に説明する。なお、各工程（符号が付与されていない部分的な工程を含む）は処理内容に矛盾を生じない範囲で任意に順番を変更して又は並列に実行することができる。
【００４５】
（ＷＭ参加登録）
ＷＭに参加を希望する者は、直接又は自己の所属するＷＭ主催者を通じて、ＷＭ事務局に対して登録手続を行う。この登録手続において、ＷＭ参加者にはＩＤ情報が割り当てられ、ＷＭ参加者マイレージ記憶手段５２、ＷＭ参加者マイレージ記憶手段４２にそれぞれＩＤ情報に対応するレコードが作成される。また、ＷＭ参加者には、ＩＤ情報が記録されたＩＣカードと、歩数計１とが付与される。なお、ＩＣカードと歩数計１とが一体化されていてもよい。
【００４６】
（ＷＭ参加者マイレージ更新）
ＷＭ参加者は歩数計１を携帯して生活（ウォーキング）し、原則として所定の期間（例えば1週間）ごとに適切なタイミング（例えば帰宅する前など）で、以下の歩数データ送信作業を行う。
【００４７】
まず、ＷＭ参加者は、歩数計１をＵＳＢなどのデバイス接続インタフェースを介して歩数データ送信装置２に接続する（Ｓ１００）。
【００４８】
次に、ＷＭ参加者は、付与されたＩＣカードを歩数データ送信装置２のＩＣカードリーダにかざす。これにより、歩数データ送信装置２のＩＤ情報取得手段２２は、ＩＣカードからＷＭ参加者のＩＤ情報を取得する（Ｓ１０１）
次に、ＷＭ参加者は、歩数データ送信装置２に対し、例えば送信ボタンを押下することにより、歩数データの送信を指示する。これにより、歩数データ送信装置２の歩数データ取得手段２１は、歩数計１から、未送信の歩数データであって、例えば当該歩数データの送信作業を行う日の前日までに蓄積された各日の歩数データ（蓄積期間の日付情報を含む）を読み出す（Ｓ１０２）。
【００４９】
次に、歩数データ送信装置２の歩数データ送信手段２３は、前記読み出した歩数データに前記取得したＩＤ情報などを対応づけて歩数データ情報を作成し、通信ネットワークを介して事務局装置５（ＷＭ管理システム３）に送信する（Ｓ１０３）。送信が終了すると、歩数データ送信装置２は、例えばユーザインタフェースを介して送信終了をＷＭ参加者に報知する。これを受けて、ＷＭ参加者は、歩数データ送信装置２から歩数計１を取り外し、歩数データ送信作業を終了する。
【００５０】
一方、事務局装置５の歩数データ受信手段５３は、歩数データ送信装置２から歩数データ情報を受信すると（Ｓ１０４）、該歩数データ情報からＷＭ参加者ＩＤ情報、歩数データなどを抽出し、前記抽出したＷＭ参加者ＩＤ情報に対応づけて前記抽出した歩数データをＷＭ参加者マイレージ記憶手段５２に記憶する（Ｓ１０５）。
【００５１】
次に、事務局装置５のＷＭ変換手段５４は、第１変換テーブル５１を参照して、前記抽出した各日の歩数データを単位期間ＷＭに変換し、前記抽出したＷＭ参加者ＩＤ情報に対応づけてＷＭ参加者マイレージ記憶手段５２に記憶する（Ｓ１０６）。
【００５２】
次に、事務局装置５のＷＭ参加者マイレージ加算手段５５は、ＷＭ参加者マイレージ記憶手段５２に記憶する前記抽出したＷＭ参加者ＩＤ情報に対応する合計ＷＭに、前記変換した単位期間ＷＭを加算して、ＷＭ参加者マイレージ記憶手段５２の記憶内容を更新する（Ｓ１０７）。
【００５３】
（ＷＭ照会）
ＷＭ参加者は、Ｗｅｂブラウザが実装されているユーザ端末６を利用して自己のＷＭ等を照会することができる。
【００５４】
まず、ＷＭ参加者は、ユーザ端末６のＷｅｂブラウザを利用して事務局装置５が管理するＷＭ確認サイトにアクセスし、ＩＤやパスワード等を入力してログインする。このＩＤは前記ＩＤ情報と同じものであってもよい。
【００５５】
次に、ＷＭ参加者は、ユーザ端末６のＷｅｂブラウザを利用してＷＭ照会リクエストを事務局装置５に送信する。なお、ユーザ端末から送信されるＷＭ照会リクエストは、そのユーザ端末からログインしたＷＭ参加者を指定しているとして取り扱うことができる。ただし、ＷＭ紹介者リクエスト自体が、ログインしたＷＭ参加者のＩＤを直接含んでいてもよい。
【００５６】
事務局装置５のリクエスト処理手段５７は、ＷＭ照会リクエストを受信すると、ＷＭ照会処理を実行する（ＷＭ照会手段として機能する）。具体的には、ＷＭ参加者マイレージ記憶手段５２から、ＷＭ照会リクエストで指定されたＷＭ参加者のＷＭや歩数データなどを読み出し、前記読み出したＷＭ等を含む照会結果を、ＷＭ紹介リクエストの送信元であるユーザ端末６に送信する。前記照会結果は、これを受信したユーザ端末６のＷｅｂブラウザによってディスプレイに表示され、ＷＭ参加者は自己のＷＭ等を確認することができる。
【００５７】
なお、このようなリクエスト処理手段５７は、例えば従来のＷｅｂアプリケーションサーバシステムの技術を用いて構成することができる。
【００５８】
（寄付先登録）
ＷＭ参加者は、Ｗｅｂブラウザが実装されているユーザ端末６を利用して自己のＷＭに基づく寄付の受領先を登録することができる。
【００５９】
まず、ＷＭ参加者は、ユーザ端末６のＷｅｂブラウザを利用して事務局装置５が管理する寄付先登録サイトにアクセスし、ＩＤやパスワード等を入力してログインする。このＩＤは前記ＩＤ情報と同じものであってもよい。
【００６０】
次に、ＷＭ参加者は、ユーザ端末６のＷｅｂブラウザを利用して、寄付受領者を指定した寄付先選択リクエストを事務局装置５に送信する。寄付受領者の指定は、例えば寄付先登録サイトに寄付受領者の一覧を表示し、該一覧から指定できるようにすることが考えられる。
【００６１】
なお、ユーザ端末から送信される寄付先選択リクエストは、そのユーザ端末からログインしたＷＭ参加者を指定しているとして取り扱うことができる。ただし、寄付先選択リクエスト自体が、ログインしたＷＭ参加者のＩＤを直接含んでいてもよい。
【００６２】
事務局装置５のリクエスト処理手段５７は、寄付先選択リクエストを受信すると、寄付先登録処理を実行する（寄付先登録手段として機能する）。具体的には、寄付先選択リクエストで指定された寄付受領者のＩＤ情報を、寄付先選択リクエストで指定されたＷＭ参加者のＩＤ情報に対応づけて、ＷＭ参加者マイレージ記憶手段５２に登録する。
【００６３】
なお、このようなリクエスト処理手段５７は、ＷＭ確認の場合と同様に、例えば従来のＷｅｂアプリケーションサーバシステムの技術を用いて構成することができる。
【００６４】
（ＷＭ情報の主催者への報告）
事務局装置５のＷＭ情報送信手段５６は、歩数データ送信装置２から歩数データ情報を受信したタイミングで、又は、定期的に（例えば、１週間ごとに）、ＷＭ参加者マイレージ記憶手段５２に記憶するＷＭ情報（各ＷＭ主催者に属する各ＷＭ参加者の、歩数データ、ＷＭデータ、指定した寄付受領者のＩＤ情報など）を読み出し、対応する主催者装置４に送信する。
【００６５】
主催者装置４のＷＭ情報受信手段４４は、事務局装置５からＷＭ情報を受信すると、前記受信したＷＭ情報に含まれる各情報に基づき、ＷＭ参加者マイレージ記憶手段４２の記憶内容を更新する。
【００６６】
（寄付受領者へのＷＭの割当）
主催者装置４は、例えば定期的に、又はＷＭの枠組みの終了時に、以下の寄付受領者ＷＭ割当処理を実行する。ＷＭの枠組みの終了タイミングはＷＭ主催者が任意に設定できるが、例えばＷＭの枠組みを開始してから（ＷＭ参加者マイレージ記憶手段４２へのＷＭの記憶が開始されてから）１年間経過後を終了タイミングとすることが考えられる。
【００６７】
まず寄付実行者選択手段４５は、ＷＭ参加者マイレージ記憶手段４２に記憶されているＷＭ参加者ＩＤ情報を順次、選択する（Ｓ２００）。
【００６８】
寄付実行者選択手段４５は、ＷＭ参加者マイレージ記憶手段４２にＷＭ参加者ＩＤ情報が記憶されている限り、そのＷＭ参加者ＩＤ情報に対応するＷＭ参加者がＷＭの枠組みから既に退会していたとしても、選択することが望ましい。
【００６９】
次に、寄付先選択手段４６は、ＷＭ参加者マイレージ記憶手段４２を参照し、前記選択した寄付実行者ＩＤ情報に対応する寄付受領者ＩＤ情報を選択する（Ｓ２０１）。
【００７０】
ＷＭ参加者マイレージ記憶手段４２に前記選択した寄付実行者に対応する寄付受領者ＩＤ情報が登録されていない場合は、デフォルトの寄付受領者（例えばＷＭ主催者が指定した寄付受領者）のＩＤ情報を選択すればよい。
【００７１】
次に、寄付受領者マイレージ加算手段４７は、ＷＭ参加者マイレージ記憶手段４２を参照し、前記選択した寄付実行者ＩＤ情報に対応する合計ＷＭのうち未だ寄付受領者に割当ていないＷＭを求め、寄付受領者マイレージ記憶手段４３に記憶する前記選択した寄付受領者ＩＤ情報に対応するＷＭに、前記求めたＷＭを加算して、寄付受領者マイレージ記憶手段４３の記憶内容を更新する（Ｓ２０２）。
【００７２】
定期的に寄付受領者ＷＭ割当処理を実行する場合、合計ＷＭのうち未割当のＷＭは、今回の合計ＷＭから、前回の寄付受領者ＷＭ割当処理時の合計ＷＭを減算することにより、求めることができる。この計算のために、ＷＭ参加者マイレージ記憶手段４２は、寄付受領者ＷＭ割当処理実行時の合計ＷＭを履歴として記憶する。一方、ＷＭの枠組みの終了時にのみ寄付受領者ＷＭ割当処理を実行する場合は、合計ＷＭの全部が未割当ＷＭとなる。
【００７３】
（金銭ポイント換算）
主催者装置４の金銭ポイント換算手段４８は、例えばＷＭの枠組みの終了時に、第２変換テーブル４１を参照し、寄付受領者マイレージ記憶手段４３に記憶される各寄付受領者に対応するＷＭを、金銭ポイントに換算する。
【００７４】
次に、ＷＭ主催者は、前記換算した金銭ポイントに応じて、対応する寄付受領者に対して寄付行為を行う。寄付行為としては、金銭ポイントに応じた金銭を寄付することや、金銭ポイントに応じた物品を購入して寄付することなど、種々の態様を考えることができる。寄付行為を行うにあたって必要となる金銭は、原則としてＷＭ主催者が負担する。なお、前記換算した金銭ポイントの全てを寄付行為に費やす必要はなく、その一部を用いて寄付行為を行ってもよい。
【００７５】
以上のように、本実施形態の枠組みによれば、ＷＭ参加者は、ウォーキングを行うことによってＷＭを貯め、かかる貯めたＷＭを金銭ポイントに換算して寄付受領者に寄付することができるので、ウォーキングによって生活習慣病を予防し健康を増進できるのみならず、寄付による社会貢献をも果たすことができる。その結果、ＷＭ参加者に、健康増進及び社会貢献という２つの側面からウォーキングを行うことへのモチベーションを与えることができるので、ウォーキングを運動習慣として定着させることが可能となる。
【００７６】
また、ＷＭ主催者は、ＷＭ事務局に運営費（手数料）を支払ったり、主催者装置４を配置したり、ＷＭ参加者のＷＭに基づく寄付行為に必要な金銭を負担するなどの、ＷＭ参加者へのサポートを通じて、従業員等の健康増進や社会貢献に寄与し、ＣＳＲ活動を果たすことができる。
【００７７】
特に、健康保険組合がＷＭ主催者となる場合、組合員であるＷＭ参加者の健康増進によって医療費を適正化でき、ひいては財政を健全化できる点で、また企業がＷＭ主催者となる場合、ＣＳＲ活動を果たすことで、企業価値を高めることができ、更に従業員の健康増進によって労働生産性も向上する点で、非常に有益である。
【００７８】
（変形例）
本発明は、上記実施形態に限定されることなく種々に変形して適用することが可能である。
【００７９】
例えば、事務局装置５が、ＷＭ参加者のＩＤ情報と、該ＷＭ参加者に対応するＷＭ主催者のＩＤ情報とを対応づけたテーブルを備えるように構成してもよい。この場合、かかるテーブルを参照すれば、ＷＭ参加者のＩＤ情報がＷＭ主催者のＩＤ情報を含んでいない場合でも、ＷＭ参加者の情報を送信すべきＷＭ主催者を特定することができる。
【００８０】
また例えば、上記実施形態では、ＷＭ照会や寄付先登録を事務局装置５に対して行う構成としているが、ＷＭ照会や寄付先登録を主催者装置４に対して行う構成としてもよい。この場合、主催者装置４が、上記実施形態の事務局装置５のように、リクエスト処理手段を備える。
【００８１】
また例えば、ＷＭ参加者のＩＤ情報を記憶する媒体として、ＩＣカード以外のＩＤ情報記録媒体（磁気カード、バーコード印刷カードなど）を採用してもよい。その場合、歩数データ送信装置２は、ＩＣカードリーダに代えて、採用したＩＤ情報記録媒体に対応するリーダを備える（又は、そのようなリーダに接続可能に構成される）。または、歩数計１に固有のシリアル番号を、該歩数計１が付与されたＷＭ参加者のＩＤ情報として取り扱ってもよい。この場合、ＩＣカードリーダ等のリーダは不要であり、歩数データ送信装置２のＩＤ情報取得手段２２は、第１デバイス接続インタフェースを介して歩数計１のメモリ等からそのシリアル番号を取得することになる。
【００８２】
なおＩＣカード等の書き込み可能なＩＤ情報記録媒体を用いる場合、歩数データ送信装置２などを介してＩＤ情報記録媒体に必要な情報（健康保険証情報、電子マネー情報など）を書き込んで利用できるように構成してもよい。
【００８３】
また例えば、上記実施形態では、ＷＭの枠組みの終了時に金銭ポイント換算処理を実行する構成としているが、第２変換テーブル４１の内容が確定した後（ＷＭ主催者が金銭ポイントへの換算率を決定した後）であれば、ＷＭの枠組みの終了前の任意のタイミングで金銭ポイント換算処理を実行することが可能である。ＷＭの枠組みの終了前に金銭ポイント換算処理を実行する場合は、寄付受領者マイレージ記憶手段４３などに、寄付受領者ＩＤ情報に対応づけて換算した金銭ポイントを記憶しておくように構成する。この場合、前記記憶した金銭ポイントを参照して、ＷＭの枠組みの終了前に寄付行為を行ってもよい。
【００８４】
また、上記実施形態では、金銭ポイント換算処理を寄付受領者に割り当てられたＷＭに対してのみ行う構成としているが、例えばＷＭ参加者の合計ＷＭに対して金銭ポイント換算処理を実行し、ＷＭ参加者ＩＤ情報に対応づけてＷＭ参加者マイレージ記憶手段５２やＷＭ参加者マイレージ記憶手段４２に記憶するように構成してもよい。かかる構成によれば、ＷＭ参加者はＷＭ照会した際に、自己が貯めたＷＭに対応する金銭ポイントをも参照することが可能となる。
【００８５】
また例えば、ウォーキングサポートシステム１００に金銭ポイントの一部をＷＭ参加者に還元する枠組みを導入してもよい。還元は、物品や金券・費用補助など（例えば健康に関わる商品や健康診断費用の補助等）の他、ＷＭ以外のマイレージサービスのマイルやポイントサービスのポイントによって行うことが考えられる。かかる構成によれば、ＷＭ参加者に、健康増進、社会貢献に加えて、経済的な側面からもウォーキングを継続することへのモチベーションを与えることができる。
【図面の簡単な説明】
【００８６】
【図１】ウォーキングサポートシステム１００の概略構成を示すブロック図である。
【図２】歩数データ送信装置２の構成を示すブロック図である。
【図３】主催者装置４、事務局装置５等の構成を示すブロック図である。
【図４】第１変換テーブル５１の例を示す図である。
【図５】第２変換テーブル４１の例を示す図である。
【図６】ＷＭ参加者マイレージ記憶手段５２（ＷＭ参加者マイレージ記憶手段４２）、寄付受領者マイレージ記憶手段４３のデータ構造例を示す図である。
【図７】ＷＭ参加者マイレージ更新に関わる処理を説明するためのフローチャートである。
【図８】金銭ポイント換算に関わる処理を説明するためのフローチャートである。
【符号の説明】
【００８７】
１  歩数計
２  歩数データ送信装置
３  ＷＭ管理システム
４  主催者装置
５  事務局装置
６  ユーザ端末
２１  歩数データ取得手段
２２  ＩＤ情報取得手段
２３  歩数データ送信手段
４１  第２変換テーブル
４２  ＷＭ参加者マイレージ記憶手段
４３  寄付受領者マイレージ記憶手段
４４  ＷＭ情報受信手段
４５  寄付実行者選択手段
４６  寄付先選択手段
４７  寄付受領者マイレージ加算手段
４８  金銭ポイント換算手段
５１  第１変換テーブル
５２  ＷＭ参加者マイレージ記憶手段
５３  歩数データ受信手段
５４  ＷＭ変換手段
５５  ＷＭ参加者マイレージ加算手段
５６  ＷＭ情報送信手段
５７  リクエスト処理手段
１００  ウォーキングサポートシステム
【図１】
2009037571.tif 000003
【図２】
2009037571.tif 000004
【図３】
2009037571.tif 000005
【図４】
2009037571.tif 000006
【図５】
2009037571.tif 000007
【図６】
2009037571.tif 000008
【図７】
2009037571.tif 000009
【図８】
2009037571.tif 000010